(57)【要約】      （修正有）【課題】紙葉類の斜行状態を解消することができるとともに、紙葉類を破ることなく搬送路の幅方向に沿って確実に移動させて所定位置に寄せることができる紙葉類搬送装置および紙葉類搬送方法を提供する。【解決手段】紙葉類搬送装置１０は、搬送路２８に沿って紙葉類を挟持しながら搬送する搬送部２０と、搬送部２０により搬送させられる紙葉類を停止させる停止部（例えば、ストッパ３２）と、停止部により停止させられた紙葉類の幅方向における側縁部を押圧することにより当該紙葉類を搬送路２８の幅方向における所定位置に移動させる位置修正部５０と、を備えている。【選択図】図１
2015009949.tif 000002
【特許請求の範囲】
【請求項１】
搬送路に沿って紙葉類を挟持しながら搬送する搬送部と、
前記搬送部により搬送させられる紙葉類を停止させる停止部と、
前記停止部により停止させられた紙葉類の幅方向における側縁部を押圧することにより当該紙葉類を前記搬送路の幅方向における所定位置に移動させる位置修正部と、
を備えた、紙葉類搬送装置。
【請求項２】
前記位置修正部は、軸を中心として前記搬送路上で揺動するようになっている、請求項１記載の紙葉類搬送装置。
【請求項３】
前記位置修正部における、前記停止部により停止させられた紙葉類に当接すべき部分は湾曲形状となっている、請求項２記載の紙葉類搬送装置。
【請求項４】
前記位置修正部は、紙葉類の幅方向における両側縁部に対応して前記搬送路の幅方向における両側にそれぞれ設けられている、請求項１乃至３のいずれか一項に記載の紙葉類搬送装置。
【請求項５】
前記各位置修正部は、前記停止部により停止させられた紙葉類を両側から押圧するようになっている、請求項４記載の紙葉類搬送装置。
【請求項６】
前記停止部は、前記搬送路上に突出する突出位置と、前記搬送路から退避する退避位置との間で移動可能となっており、
前記停止部が前記突出位置に位置するときに、前記搬送部により搬送させられる紙葉類の搬送方向における先端部が前記停止部に当接することによりこの紙葉類が停止させられるようになっている、請求項１乃至５のいずれか一項に記載の紙葉類搬送装置。
【請求項７】
前記停止部により紙葉類が停止させられ、前記位置修正部により当該紙葉類の幅方向における側縁部が押圧された後であって、前記停止部が前記突出位置から前記退避位置に移動した後に、前記搬送部による紙葉類の搬送動作が再開される、請求項６記載の紙葉類搬送装置。
【請求項８】
紙葉類の搬送方向における前記停止部の上流側の近傍に、前記停止部に紙葉類が当接したときの跳ね返りを抑制するための停止補助部が設けられている、請求項６または７記載の紙葉類搬送装置。
【請求項９】
前記停止補助部は、前記搬送路上に突出する突出位置と、前記搬送路から退避する退避位置との間で移動可能となっており、
前記停止補助部が前記突出位置に位置するときに、前記搬送路において紙葉類を案内する案内部と前記停止補助部との間に形成させる隙間に紙葉類を送ることによって、前記停止部に紙葉類が当接したときの跳ね返りを抑制するようになっている、請求項８記載の紙葉類搬送装置。
【請求項１０】
前記停止補助部は前記停止部と一体的に移動するようになっている、請求項８または９記載の紙葉類搬送装置。
【請求項１１】
紙葉類の搬送方向における前記停止部の上流側に、搬送路に沿って前記搬送部により搬送させられる紙葉類を検知する搬送タイミング検知部が設けられており、
前記停止部は、前記搬送タイミング検知部により紙葉類が検知されてから予め設定された所定時間が経過した後に前記退避位置から前記突出位置に移動させられるようになっている、請求項６乃至１０のいずれか一項に記載の紙葉類搬送装置。
【請求項１２】
前記搬送部は、紙葉類を挟持して搬送する上側搬送部材および下側搬送部材を含み、
前記下側搬送部材は、前記搬送路から下方に退避可能となっており、
前記停止部が前記退避位置から前記突出位置に移動させられる際に、前記下側搬送部材が前記搬送路から下方に退避して前記上側搬送部材および前記下側搬送部材による紙葉類の挟持状態が解除されるようになっている、請求項６乃至１１のいずれか一項に記載の紙葉類搬送装置。
【請求項１３】
前記停止部により紙葉類が停止させられ、前記位置修正部により当該紙葉類の幅方向における側縁部が押圧された後であって、前記下側搬送部材が前記搬送路上に戻った後に、前記搬送部による紙葉類の搬送動作が再開される、請求項１２記載の紙葉類搬送装置。
【請求項１４】
前記搬送部は、紙葉類の短手方向に沿って当該紙葉類を搬送するようになっており、
前記位置修正部は、前記停止部により停止させられた紙葉類の短辺を押圧するようになっている、請求項１乃至１３のいずれか一項に記載の紙葉類搬送装置。
【請求項１５】
紙葉類の搬送方向における前記停止部の上流側に設けられ、前記搬送路に沿って前記搬送部により搬送させられる紙葉類の少なくとも幅方向長さを検知する紙葉類検知部と、
前記位置修正部の駆動を行う位置修正部駆動機構と、
前記紙葉類検知部により検知された紙葉類の幅方向長さに基づいて前記位置修正部の移動量を調整するよう前記位置修正部駆動機構の制御を行う制御部と、
を更に備えた、請求項１乃至１４のいずれか一項に記載の紙葉類搬送装置。
【請求項１６】
前記紙葉類検知部は、前記搬送路に沿って前記搬送部により搬送させられる紙葉類について、前記搬送路の幅方向における位置も検知するようになっており、
前記制御部は、前記紙葉類検知部により検知された紙葉類の幅方向長さに加えて、前記紙葉類検知部により検知された前記搬送路の幅方向における紙葉類の位置も参照して、前記位置修正部の移動量を調整するよう前記位置修正部駆動機構の制御を行う、請求項１５記載の紙葉類搬送装置。
【請求項１７】
前記位置修正部は、紙葉類の搬送方向に沿って並ぶよう複数設けられており、前記複数の位置修正部は、紙葉類の側縁部に対して当該紙葉類の搬送方向における異なる位置をそれぞれ押圧する、請求項１乃至１６のいずれか一項に記載の紙葉類搬送装置。
【請求項１８】
前記位置修正部は、前記停止部により停止させられた紙葉類の側縁部における搬送方向後端部を押圧する第一位置修正部材と、前記停止部により停止させられた紙葉類の側縁部における搬送方向前端部を押圧する第二位置修正部材とを含む、請求項１７記載の紙葉類搬送装置。
【請求項１９】
前記停止部により停止させられた紙葉類に対して、前記第一位置修正部材により紙葉類の側縁部における搬送方向後端部が押圧された後に、前記第二位置修正部材により当該紙葉類の側縁部における搬送方向前端部が押圧されるようになっている、請求項１８記載の紙葉類搬送装置。
【請求項２０】
前記第一位置修正部材は、前記停止部により停止させられた紙葉類を、当該停止部に向かって押圧するようになっている、請求項１８または１９記載の紙葉類搬送装置。
【請求項２１】
前記第二位置修正部材は、前記停止部により停止させられた紙葉類を、前記搬送部による紙葉類の搬送方向に略直交する方向に押圧するようになっている、請求項１８乃至２０のいずれか一項に記載の紙葉類搬送装置。
【請求項２２】
前記搬送路における前記位置修正部に対応する搬送面は凹んでおり、前記位置修正部は前記搬送路における凹んだ搬送面上で移動するようになっている、請求項１乃至２１のいずれか一項に記載の紙葉類搬送装置。
【請求項２３】
搬送路に沿って紙葉類を挟持しながら搬送する工程と、
搬送させられる紙葉類を停止させる工程と、
停止させられた紙葉類の幅方向における側縁部を押圧することにより当該紙葉類を前記搬送路の幅方向における所定位置に移動させる工程と、
を備えた、紙葉類搬送方法。
【発明の詳細な説明】
【技術分野】
【０００１】
本発明は、紙幣等の紙葉類の搬送を行う紙葉類搬送装置および紙葉類搬送方法に関し、とりわけ、搬送させられる紙葉類を搬送路の幅方向における中央位置等の所定位置に寄せるための紙葉類搬送装置および紙葉類搬送方法に関する。
【背景技術】
【０００２】
銀行等の金融機関に設置されるＡＴＭ等の、紙幣の入出金処理を行う紙幣入出金機において、紙幣の搬送を行う紙幣搬送装置が機体内に設置されている。このような紙幣搬送装置により搬送させられる紙幣は収納カセットに収納されるようになっているが、紙幣搬送装置における紙幣の搬送路の幅の大きさが収納カセットの開口部の幅の大きさよりも大きい場合には、紙幣搬送装置において搬送させられる紙幣を搬送路の幅方向における中央位置等の所定位置に寄せる必要がある。より詳細には、紙幣には複数の種類が存在し、発行国や金種によって紙幣のサイズも異なっている。このため、様々な種類の紙幣を処理する場合に、種類別にそのサイズに適した収納カセットに紙幣を収納させようとすると、当該収納カセットの開口部の大きさも紙幣の種類によって異なるようになるため、各種の収納カセットに紙幣が確実に入るようにするためには搬送路の幅方向における紙幣の位置を所定位置に調整する必要がある。
【０００３】
搬送路の幅方向において紙幣の位置を調整するにあたり、特許文献１には、表面をゴム製部材で形成した斜行実行ローラを複数配設し、これらの斜行実行ローラにより紙幣を斜行させることによって、搬送路の幅方向に沿って紙幣を強制的にシフトさせるような紙幣シフト装置が開示されている。
【先行技術文献】
【特許文献】
【０００４】
【特許文献１】特開２００６−１１１４４６号公報
【発明の概要】
【発明が解決しようとする課題】
【０００５】
しかしながら、特許文献１に開示されるような従来の紙幣シフト装置では、ローラにより紙幣を強制的に変位させて搬送路の幅方向における位置を調整しているため、損傷した紙幣がこのような紙幣シフト装置に搬送させられると紙幣破れ等のトラブルが生じるおそれがある。また、従来の紙幣シフト装置では、搬送路の幅方向に沿って紙幣を変位させる変位手段はその位置が固定されているため、搬送路に対する紙幣の位置や斜行状態によっては搬送路の幅方向に沿って紙幣を確実に移動させることができないという問題がある。
【０００６】
本発明は、このような点を考慮してなされたものであり、紙葉類の斜行状態を解消することができるとともに、紙葉類を破ることなく搬送路の幅方向に沿って確実に移動させて所定位置に寄せることができる紙葉類搬送装置および紙葉類搬送方法を提供することを目的とする。
【課題を解決するための手段】
【０００７】
本発明の紙葉類搬送装置は、搬送路に沿って紙葉類を挟持しながら搬送する搬送部と、前記搬送部により搬送させられる紙葉類を停止させる停止部と、前記停止部により停止させられた紙葉類の幅方向における側縁部を押圧することにより当該紙葉類を前記搬送路の幅方向における所定位置に移動させる位置修正部と、を備えたことを特徴とする。
【０００８】
このような紙葉類搬送装置によれば、搬送させられる紙葉類を一旦停止させ、停止させられた紙葉類の幅方向における側縁部を押圧することにより当該紙葉類を搬送路の幅方向における所定位置に移動させることによって、紙葉類の斜行状態を解消することができるとともに、紙葉類を破ることなく搬送路の幅方向に沿って確実に移動させて所定位置に寄せることができる。
【０００９】
本発明の紙葉類搬送装置においては、前記位置修正部は、軸を中心として前記搬送路上で揺動するようになっていてもよい。
【００１０】
この場合、前記位置修正部における、前記停止部により停止させられた紙葉類に当接すべき部分は湾曲形状となっていてもよい。
【００１１】
本発明の紙葉類搬送装置においては、前記位置修正部は、紙葉類の幅方向における両側縁部に対応して前記搬送路の幅方向における両側にそれぞれ設けられていてもよい。
【００１２】
この場合、前記各位置修正部は、前記停止部により停止させられた紙葉類を両側から押圧するようになっていてもよい。
【００１３】
本発明の紙葉類搬送装置においては、前記停止部は、前記搬送路上に突出する突出位置と、前記搬送路から退避する退避位置との間で移動可能となっており、前記停止部が前記突出位置に位置するときに、前記搬送部により搬送させられる紙葉類の搬送方向における先端部が前記停止部に当接することによりこの紙葉類が停止させられるようになっていてもよい。
【００１４】
この場合、前記停止部により紙葉類が停止させられ、前記位置修正部により当該紙葉類の幅方向における側縁部が押圧された後であって、前記停止部が前記突出位置から前記退避位置に移動した後に、前記搬送部による紙葉類の搬送動作が再開されるようになっていてもよい。
【００１５】
また、紙葉類の搬送方向における前記停止部の上流側の近傍に、前記停止部に紙葉類が当接したときの跳ね返りを抑制するための停止補助部が設けられていてもよい。
【００１６】
この場合、前記停止補助部は、前記搬送路上に突出する突出位置と、前記搬送路から退避する退避位置との間で移動可能となっており、前記停止補助部が前記突出位置に位置するときに、前記搬送路において紙葉類を案内する案内部と前記停止補助部との間に形成させる隙間に紙葉類を送ることによって、前記停止部に紙葉類が当接したときの跳ね返りを抑制するようになっていてもよい。
【００１７】
また、前記停止補助部は前記停止部と一体的に移動するようになっていてもよい。
【００１８】
本発明の紙葉類搬送装置においては、紙葉類の搬送方向における前記停止部の上流側に、搬送路に沿って前記搬送部により搬送させられる紙葉類を検知する搬送タイミング検知部が設けられており、前記停止部は、前記搬送タイミング検知部により紙葉類が検知されてから予め設定された所定時間が経過した後に前記退避位置から前記突出位置に移動させられるようになっていてもよい。
【００１９】
本発明の紙葉類搬送装置においては、前記搬送部は、紙葉類を挟持して搬送する上側搬送部材および下側搬送部材を含み、前記下側搬送部材は、前記搬送路から下方に退避可能となっており、前記停止部が前記退避位置から前記突出位置に移動させられる際に、前記下側搬送部材が前記搬送路から下方に退避して前記上側搬送部材および前記下側搬送部材による紙葉類の挟持状態が解除されるようになっていてもよい。
【００２０】
この場合、前記停止部により紙葉類が停止させられ、前記位置修正部により当該紙葉類の幅方向における側縁部が押圧された後であって、前記下側搬送部材が前記搬送路上に戻った後に、前記搬送部による紙葉類の搬送動作が再開されるようになっていてもよい。
【００２１】
本発明の紙葉類搬送装置においては、前記搬送部は、紙葉類の短手方向に沿って当該紙葉類を搬送するようになっており、前記位置修正部は、前記停止部により停止させられた紙葉類の短辺を押圧するようになっていてもよい。
【００２２】
本発明の紙葉類搬送装置は、紙葉類の搬送方向における前記停止部の上流側に設けられ、前記搬送路に沿って前記搬送部により搬送させられる紙葉類の少なくとも幅方向長さを検知する紙葉類検知部と、前記位置修正部の駆動を行う位置修正部駆動機構と、前記紙葉類検知部により検知された紙葉類の幅方向長さに基づいて前記位置修正部の移動量を調整するよう前記位置修正部駆動機構の制御を行う制御部と、を更に備えていてもよい。
【００２３】
この場合、前記紙葉類検知部は、前記搬送路に沿って前記搬送部により搬送させられる紙葉類について、前記搬送路の幅方向における位置も検知するようになっており、前記制御部は、前記紙葉類検知部により検知された紙葉類の幅方向長さに加えて、前記紙葉類検知部により検知された前記搬送路の幅方向における紙葉類の位置も参照して、前記位置修正部の移動量を調整するよう前記位置修正部駆動機構の制御を行うようになっていてもよい。
【００２４】
本発明の紙葉類搬送装置においては、前記位置修正部は、紙葉類の搬送方向に沿って並ぶよう複数設けられており、前記複数の位置修正部は、紙葉類の側縁部に対して当該紙葉類の搬送方向における異なる位置をそれぞれ押圧するようになっていてもよい。
【００２５】
この場合、前記位置修正部は、前記停止部により停止させられた紙葉類の側縁部における搬送方向後端部を押圧する第一位置修正部材と、前記停止部により停止させられた紙葉類の側縁部における搬送方向前端部を押圧する第二位置修正部材とを含んでいてもよい。
【００２６】
また、前記停止部により停止させられた紙葉類に対して、前記第一位置修正部材により紙葉類の側縁部における搬送方向後端部が押圧された後に、前記第二位置修正部材により当該紙葉類の側縁部における搬送方向前端部が押圧されるようになっていてもよい。
【００２７】
また、前記第一位置修正部材は、前記停止部により停止させられた紙葉類を、当該停止部に向かって押圧するようになっていてもよい。
【００２８】
また、前記第二位置修正部材は、前記停止部により停止させられた紙葉類を、前記搬送部による紙葉類の搬送方向に略直交する方向に押圧するようになっていてもよい。
【００２９】
本発明の紙葉類搬送装置においては、前記搬送路における前記位置修正部に対応する搬送面は凹んでおり、前記位置修正部は前記搬送路における凹んだ搬送面上で移動するようになっていてもよい。
【００３０】
本発明の紙葉類搬送方法は、搬送路に沿って紙葉類を挟持しながら搬送する工程と、搬送させられる紙葉類を停止させる工程と、停止させられた紙葉類の幅方向における側縁部を押圧することにより当該紙葉類を前記搬送路の幅方向における所定位置に移動させる工程と、を備えたことを特徴とする。
【００３１】
このような紙葉類搬送方法によれば、搬送させられる紙葉類を一旦停止させ、停止させられた紙葉類の幅方向における側縁部を押圧することにより当該紙葉類を搬送路の幅方向における所定位置に移動させることによって、紙葉類の斜行状態を解消することができるとともに、紙葉類を破ることなく搬送路の幅方向に沿って確実に移動させて所定位置に寄せることができる。
【発明の効果】
【００３２】
本発明の紙葉類搬送装置および紙葉類搬送方法によれば、紙葉類の斜行状態を解消することができるとともに、紙葉類を破ることなく搬送路の幅方向に沿って確実に移動させて所定位置に寄せることができる。
【図面の簡単な説明】
【００３３】
【図１】本発明の実施の形態による紙葉類搬送装置の概略的な構成を示す構成図である。
【図２】図１に示す紙葉類搬送装置の構成の詳細を示す構成図である。
【図３】図２に示す紙葉類搬送装置のＡ−Ａ矢視による縦断面図である。
【図４】図２に示す紙葉類搬送装置のＢ−Ｂ矢視による縦断面図である。
【図５】図２に示す紙葉類搬送装置のＣ−Ｃ矢視による縦断面図である。
【図６】図２等に示す紙葉類搬送装置における紙葉類停止機構の動作を示す縦断面図であって、（ａ）は、ストッパおよび停止補助部がそれぞれ突出位置にあるときの状態を示す図であり、（ｂ）は、ストッパおよび停止補助部がそれぞれ退避位置にあるときの状態を示す図である。
【図７】図２等に示す紙葉類搬送装置における可動式の従動ローラの動作を示す縦断面図であって、（ａ）は、可動式の従動ローラが搬送路から下方に退避したときの状態を示す図であり、（ｂ）は、可動式の従動ローラが搬送路上に位置するときの状態を示す図である。
【図８】図２等に示す紙葉類搬送装置の機能ブロック図である。
【発明を実施するための形態】
【００３４】
以下、図面を参照して本発明の実施の形態について説明する。図１乃至図８は、本実施の形態による紙葉類搬送装置および紙葉類搬送方法を示す図である。このうち、図１は、本実施の形態による紙葉類搬送装置の概略的な構成を示す構成図であり、図２は、図１に示す紙葉類搬送装置の構成の詳細を示す構成図である。また、図３乃至図５は、それぞれ、図２に示す紙葉類搬送装置のＡ−Ａ矢視、Ｂ−Ｂ矢視、Ｃ−Ｃ矢視による縦断面図である。また、図６は、図２等に示す紙葉類搬送装置における紙葉類停止機構の動作を示す縦断面図であり、図７は、図２等に示す紙葉類搬送装置における可動式の従動ローラの動作を示す縦断面図である。また、図８は、図２等に示す紙葉類搬送装置の機能ブロック図である。
【００３５】
本実施の形態による紙葉類搬送装置１０は、紙幣等の紙葉類（図１において参照符号Ｐで表示）を１枚ずつ搬送するものであり、搬送させられる紙葉類を搬送路２８（後述）の幅方向（図１の上下方向）における中央位置等の所定位置に寄せるようになっている。このような紙葉類搬送装置１０は、例えば銀行等の金融機関に設置されるＡＴＭ等の、紙幣の入出金処理を行う紙幣入出金機の機体内に設置される紙幣搬送装置として用いられ、紙幣入出金機の機体内に配設された各種の収納カセットに紙幣が確実に入るようにするために搬送路２８の幅方向における紙幣の位置を所定位置に調整するようになっている。このような紙葉類搬送装置１０の概略的な構成について以下に説明する。
【００３６】
図３等に示すように、本実施の形態による紙葉類搬送装置１０は、わずかに間隔を隔てて配設された上側搬送ユニット１２および下側搬送ユニット１４から構成されており、これらの上側搬送ユニット１２と下側搬送ユニット１４との間に、紙幣等の紙葉類が１枚ずつ搬送させられる搬送路２８が形成されている。より詳細には、図３等に示すように、上側搬送ユニット１２は上側案内部４０を有しており、下側搬送ユニット１４は下側案内部４２を有している。そして、紙葉類が１枚ずつ搬送させられる搬送路２８は、上側案内部４０と下側案内部４２との間に形成されるようになる。図１および図２は、このような紙葉類搬送装置１０において上側搬送ユニット１２を取り外したときの下側搬送ユニット１４を上方から見たときの平面図である。なお、図１および図２では、それぞれ、右側から左方向に向かって紙葉類が搬送させられるようになっている（図１および図２において、紙葉類の搬送方向を白抜きの矢印で示す）。
【００３７】
また、本実施の形態の紙葉類搬送装置１０は、搬送路２８に沿って紙葉類を挟持しながら搬送する搬送部２０と、搬送部２０により搬送させられる紙葉類を停止させる停止部としてのストッパ３２と、ストッパ３２により停止させられた紙葉類の幅方向における側縁部を水平方向に押圧することにより当該紙葉類を搬送路２８の幅方向における所定位置（具体的には、例えば中央位置）に移動させる位置修正部５０とを備えている。より詳細には、図１に示すように、本実施の形態による紙葉類搬送装置１０において、搬送部２０は、紙葉類（図１において参照符号Ｐで表示）の短手方向に沿って当該紙葉類を搬送するようになっており、位置修正部５０は、ストッパ３２により停止させられた紙葉類の短辺を押圧するようになっている。なお、本実施の形態の紙葉類搬送装置１０はこのような態様に限定されることはない。他の例では、搬送部２０は、紙葉類の長手方向に沿って当該紙葉類を搬送するようになっており、位置修正部５０は、ストッパ３２により停止させられた紙葉類の長辺を押圧するようになっていてもよい。
【００３８】
このような紙葉類搬送装置１０の各構成要素の詳細について以下に説明する。
【００３９】
搬送部２０は、上側搬送ユニット１２に設けられた複数の駆動ローラ２２と、下側搬送ユニット１４に設けられた複数の従動ローラ２４、２６とを有している。ここで、図３等に示すように、駆動ローラ２２および従動ローラ２４、２６はそれぞれ搬送路２８における紙葉類の搬送方向（図３等における左方向）に沿って複数設けられている。各駆動ローラ２２の外周面には例えばゴム等の高摩擦部材が配設されており、各駆動ローラ２２はそれぞれ図示しない駆動モータにより図３における時計回りの方向に回転させられるようになっている。また、各従動ローラ２４、２６はそれぞれ各駆動ローラ２２に対向するよう配置されており、各従動ローラ２４、２６が対応する各駆動ローラ２２と当接したときにはこれらの従動ローラ２４、２６は駆動ローラ２２と連れ回って図３における反時計回りの方向に回転するようになっている。各従動ローラ２４、２６の外周面には金属部材が配設されており、各駆動ローラ２２と従動ローラ２４、２６との間に形成されるニップ部に紙葉類が送られることにより当該紙葉類は搬送路２８に沿って搬送させられるようになっている。
【００４０】
なお、複数の従動ローラ２４、２６のうち、従動ローラ２４はその軸の位置が固定された固定式のものからなり、この従動ローラ２４は常に対応する駆動ローラ２２に当接して当該駆動ローラ２２と連れ回るようになっている。一方、従動ローラ２６は図３における上下方向に移動可能となっている可動式のものからなり、この従動ローラ２６が上方に移動して搬送路２８に進出したときには対応する駆動ローラ２２と当接して連れ回るが、従動ローラ２６が下方に移動して搬送路２８から退避したときには駆動ローラ２２から離間するようになっている。図７は、図２等に示す紙葉類搬送装置１０における可動式の従動ローラ２６の動作を示す縦断面図であって、図７（ａ）は、可動式の従動ローラ２６が下方に移動して搬送路２８から下方に退避したときの状態を示す図であり、図７（ｂ）は、可動式の従動ローラ２６が上方に移動して搬送路２８上に位置するときの状態を示す図である。本実施の形態では、駆動ローラ２２および可動式の従動ローラ２６はそれぞれ、紙葉類を挟持して搬送する上側搬送部材および下側搬送部材を構成しており、後述するストッパ３２が退避位置から突出位置に移動させられる際に、下側搬送部材である可動式の従動ローラ２６が搬送路２８から下方に退避して上側搬送部材（駆動ローラ２２）および下側搬送部材（可動式の従動ローラ２６）による紙葉類の挟持状態が解除されるようになっている。このような可動式の従動ローラ２６の動作の詳細については後述する。
【００４１】
また、図１および図２に示すように、各従動ローラ２４、２６は、搬送路２８における幅方向（図１および図２における上下方向）に沿って左右一対となるよう配置されており、各従動ローラ２４、２６に対応する各駆動ローラ２２も、図示はしていないが搬送路２８における幅方向に沿って左右一対となるよう配置されている。
【００４２】
また、図１および図２に示すように、下側搬送ユニット１４において、紙葉類の搬送方向における可動式の従動ローラ２６よりも下流側には、左右一対のストッパ３２を有する紙葉類停止機構３０が設けられており、各ストッパ３２により、搬送路２８に沿って搬送部２０により搬送させられる紙葉類が停止させられるようになっている。図１において、各ストッパ３２により停止させられた紙葉類を参照符号Ｐで示している。各ストッパ３２は、上側搬送ユニット１２と下側搬送ユニット１４との間にある搬送路２８上に突出する突出位置と、この搬送路２８から下方に退避する退避位置との間で移動可能となっている。図６は、図２等に示す紙葉類搬送装置１０における紙葉類停止機構３０の動作を示す縦断面図であって、図６（ａ）は、ストッパ３２が突出位置にあるときの状態を示す図であり、図６（ｂ）は、ストッパ３２が退避位置にあるときの状態を示す図である。そして、各ストッパ３２が図６（ａ）に示すような突出位置に位置するときに、搬送路２８に沿って搬送部２０により搬送させられる紙葉類の搬送方向における先端部が各ストッパ３２に当接することにより、この紙葉類が停止させられるようになっている。
【００４３】
また、図４等に示すように、紙葉類停止機構３０は、ストッパ３２を支持するストッパ支持アーム３４と、ストッパ支持アーム３４の基端部に設けられた軸３６とを有しており、ストッパ支持アーム３４は軸３６を中心として図６（ａ）に示す位置と図６（ｂ）に示す位置との間で揺動するようになっている。このことにより、ストッパ支持アーム３４の先端部分に取り付けられたストッパ３２は、図６（ａ）に示すような、搬送路２８上に突出する突出位置と、図６（ｂ）に示すような、この搬送路２８から下方に退避する退避位置との間で移動するようになる。
【００４４】
また、図４等に示すように、ストッパ３２の上端部分には、紙葉類の搬送方向における上流側（図４における右側）に向かって突出する突起部３２ａが設けられている。ストッパ３２の上端部分にこのような突起部３２ａが設けられていることにより、搬送部２０により搬送させられる紙葉類が各ストッパ３２により停止させられたときに、この停止した紙葉類の先端部が各ストッパ３２を誤って乗り越えてしまうことを防止することができる。
【００４５】
また、図４等に示すように、紙葉類停止機構３０は、軸３６を中心としてストッパ支持アーム３４と一体的に揺動するような停止補助部３８を有している。停止補助部３８は、例えばプラスチック樹脂等の弾性部材から構成されている。このような停止補助部３８も、軸３６を中心として図６（ａ）に示す位置と図６（ｂ）に示す位置との間でストッパ支持アーム３４と一体的に揺動するようになっており、このことにより、停止補助部３８は、図６（ａ）に示すような、搬送路２８上に突出する突出位置と、図６（ｂ）に示すような、この搬送路２８から下方に退避する退避位置との間で移動するようになる。また、図４や図６に示すように、上側搬送ユニット１２に設けられた上側案内部４０における停止補助部３８に対向する位置には、この停止補助部３８が図６（ａ）に示す突出位置に移動したときに入り込むような凹部４０ａが形成されている。そして、停止補助部３８が図６（ａ）に示すような突出位置に移動して凹部４０ａに入り込んだときには、当該凹部４０ａの表面と停止補助部３８の先端部分との間にわずかな隙間が形成されるようになっており、搬送部２０により搬送させられる紙葉類が各ストッパ３２により停止させられたときに、当該紙葉類がこの隙間に入ることによって、ストッパ３２に紙葉類が当接したときの当該紙葉類の跳ね返りを抑制するようになっている。
【００４６】
また、図１および図２に示すように、搬送路２８の幅方向における各紙葉類停止機構３０の側方にはそれぞれ位置修正部５０が設けられており、各位置修正部５０は、ストッパ３２により停止させられた紙葉類の幅方向における側縁部を水平方向に押圧することにより当該紙葉類を搬送路２８の幅方向における所定位置（具体的には、例えば中央位置）に移動させるようになっている。ここで、各位置修正部５０は、紙葉類の搬送方向（図１および２における左方向）に沿って並ぶよう設けられた第一位置修正部材５２および第二位置修正部材５６から構成されている。これらの第一位置修正部材５２および第二位置修正部材５６は、紙葉類の側縁部に対して、当該紙葉類の搬送方向における異なる位置をそれぞれ押圧するようになっている。より詳細には、第一位置修正部材５２は、その基端部分に設けられた軸５４を中心として搬送路２８上で水平方向に揺動するようになっており、第二位置修正部材５６も、その基端部分に設けられた軸５８を中心として搬送路２８上で水平方向に揺動するようになっている。ここで、位置修正部５０の第一位置修正部材５２および第二位置修正部材５６は、それぞれ、例えば駆動モータ等からなる位置修正部駆動機構６２（図８参照）により駆動させられるようになっている。
【００４７】
図１に示すように、第一位置修正部材５２の先端部分５３は、ストッパ３２により停止させられた紙葉類の側縁部における搬送方向後端部を押圧するようになっており、第二位置修正部材５６の先端部分５７は、ストッパ３２により停止させられた紙葉類の側縁部における搬送方向前端部を押圧するようになっている。なお、図１および図２に示すように、第一位置修正部材５２における、ストッパ３２により停止させられた紙葉類に当接すべき部分である先端部分５３は湾曲形状となっており、第二位置修正部材５６における、ストッパ３２により停止させられた紙葉類に当接すべき部分である先端部分５７も湾曲形状となっている。このことにより、ストッパ３２により停止させられた紙葉類が搬送路２８の幅方向におけるどの位置にあっても、湾曲形状となっている第一位置修正部材５２の先端部分５３や、湾曲形状となっている第二位置修正部材５６の先端部分５７により、当該紙葉類をスムーズに押圧することができるようになる。
【００４８】
また、本実施の形態では、第一位置修正部材５２および第二位置修正部材５６はそれぞれ、紙葉類の幅方向における両側縁部に対応して、搬送路２８の幅方向（図１および図２の上下方向）における両側にそれぞれ設けられている。そして、左右一対の第一位置修正部材５２や左右一対の第二位置修正部材５６は、ストッパ３２により停止させられた紙葉類を両側から押圧することができるようになっている。
【００４９】
本実施の形態では、ストッパ３２により停止させられた紙葉類に対して、まず、各第一位置修正部材５２の先端部分５３により、当該紙葉類の側縁部における搬送方向後端部がストッパ３２に向かって図１における左方向に押圧され、その後、各第二位置修正部材５６の先端部分５７により、当該紙葉類の側縁部における搬送方向前端部が紙葉類の搬送方向に略直交する方向、すなわち搬送路２８の幅方向（図１における上下方向）に押圧されるようになっている。
【００５０】
また、図２や図５に示すように、搬送路２８における下側案内部４２上の搬送面２９において、第一位置修正部材５２および第二位置修正部材５６が通る箇所は凹んでおり、この凹んだ箇所である搬送面凹部２９ａ上で第一位置修正部材５２および第二位置修正部材５６がそれぞれ移動するようになっている。このことにより、第一位置修正部材５２や第二位置修正部材５６により紙葉類を押圧する際に、搬送面２９上にある紙葉類の上方を第一位置修正部材５２や第二位置修正部材５６が通過してしまい紙葉類の側縁部が誤って押圧されないようになることを防止することができ、このため搬送面２９上にある紙葉類の側縁部を第一位置修正部材５２や第二位置修正部材５６が確実に押圧することができるようになる。
【００５１】
また、図１等に示すように、紙葉類搬送装置１０において、紙葉類の搬送方向における紙葉類停止機構３０や位置修正部５０の上流側には入口側紙葉類検知センサ７０が設置されているとともに、紙葉類の搬送方向における紙葉類停止機構３０や位置修正部５０の下流側には出口側紙葉類検知センサ７２が設置されている。入口側紙葉類検知センサ７０は、搬送路２８に沿って搬送部２０により搬送させられる紙葉類について、その幅方向長さ、搬送路２８の幅方向における位置、および斜行角度等を検知するようになっている。入口側紙葉類検知センサ７０により検知された紙葉類の検知情報は後述する制御部６０に送られるようになっている。また、出口側紙葉類検知センサ７２は、位置修正部５０により搬送路２８の幅方向における所定位置（例えば、中央位置等）に寄せられた後に搬送部２０により搬送させられる紙葉類について、その幅方向長さ、搬送路２８の幅方向における位置、および斜行角度等を検知するようになっている。出口側紙葉類検知センサ７２により検知された紙葉類の検知情報も後述する制御部６０に送られるようになっており、制御部６０は、出口側紙葉類検知センサ７２から送られた紙葉類の検知情報に基づいて、位置修正部５０により紙葉類が搬送路２８の幅方向における所定位置に正確に寄せられたか否かを判定するようになっている。
【００５２】
また、図１等に示すように、紙葉類搬送装置１０において、紙葉類の搬送方向における紙葉類停止機構３０や位置修正部５０の上流側であって入口側紙葉類検知センサ７０よりも下流側の位置には入口側搬送タイミング検知センサ７４が設置されている。また、紙葉類の搬送方向における紙葉類停止機構３０や位置修正部５０の下流側であって出口側紙葉類検知センサ７２よりも上流側の位置には出口側搬送タイミング検知センサ７６が設置されている。入口側搬送タイミング検知センサ７４は、搬送部２０により紙葉類停止機構３０のストッパ３２に送られる直前の紙葉類のタイミングを検知するようになっており、また、出口側搬送タイミング検知センサ７６は、位置修正部５０により搬送路２８の幅方向における位置が所定位置に寄せられた後に搬送部２０により搬送させられる紙葉類のタイミングを検知するようになっている。入口側搬送タイミング検知センサ７４や出口側搬送タイミング検知センサ７６による紙葉類の検知情報はそれぞれ後述する制御部６０に送られるようになっている。
【００５３】
また、図８に示すように、本実施の形態の紙葉類搬送装置１０には制御部６０が設けられており、当該制御部６０により紙葉類搬送装置１０の各構成要素の制御が行われるようになっている。より詳細には、制御部６０には、搬送部２０、紙葉類停止機構３０、位置修正部駆動機構６２がそれぞれ接続されており、この制御部６０から搬送部２０、紙葉類停止機構３０、位置修正部駆動機構６２の各々に指令信号が送られることによりこれらの構成要素の制御が行われるようになっている。また、制御部６０には入口側紙葉類検知センサ７０、出口側紙葉類検知センサ７２、入口側搬送タイミング検知センサ７４、出口側搬送タイミング検知センサ７６がそれぞれ接続されており、これらの検知センサ７０、７２、７４、７６による検知情報がそれぞれ制御部６０に送られるようになっている。
【００５４】
制御部６０は、紙葉類搬送装置１０の待機状態において、ストッパ３２および停止補助部３８がそれぞれ図６（ｂ）に示すような退避位置に位置するよう紙葉類停止機構３０を制御している。そして、入口側搬送タイミング検知センサ７４により紙葉類の先端部が検知されてから予め設定された所定時間（具体的には、搬送部２０により搬送させられる紙葉類の先端部が入口側搬送タイミング検知センサ７４により検知された後、ストッパ３２に到達するまでの時間）が経過した後に、ストッパ３２および停止補助部３８をそれぞれ図６（ｂ）に示すような退避位置から図６（ａ）に示すような突出位置に移動させるよう制御部６０は紙葉類停止機構３０を制御する。
【００５５】
また、制御部６０は、入口側紙葉類検知センサ７０により検知された紙葉類の幅方向長さに基づいて、位置修正部５０における第一位置修正部材５２および第二位置修正部材５６の移動量（具体的には、回転角度）を調整するよう位置修正部駆動機構６２の制御を行うようになっている。なお、制御部６０は、入口側紙葉類検知センサ７０により検知された紙葉類の幅方向長さに加えて、この入口側紙葉類検知センサ７０により検知された搬送路２８の幅方向における紙葉類の位置も参照して、位置修正部５０における第一位置修正部材５２および第二位置修正部材５６の移動量を調整するよう位置修正部駆動機構６２の制御を行うようになっていてもよい。
【００５６】
次に、このような構成からなる紙葉類搬送装置１０の動作（具体的には、紙葉類搬送装置１０による紙葉類の搬送方法）について説明する。なお、以下に示すような紙葉類搬送装置１０の動作は、制御部６０が当該紙葉類搬送装置１０の各構成要素を制御することにより行われるようになっている。
【００５７】
本実施の形態による紙葉類搬送装置１０に送られた紙葉類は、図１および図２における右側から左方向に搬送させられるが、まず、入口側紙葉類検知センサ７０により、当該紙葉類の幅方向長さ、搬送路２８の幅方向における位置、および斜行角度等が検知される。入口側紙葉類検知センサ７０による検知情報は制御部６０に送られる。その後、紙葉類は搬送路２８に沿って搬送部２０により搬送させられる。具体的には、搬送部２０における各駆動ローラ２２と従動ローラ２４、２６との間に形成されるニップ部に紙葉類が送られることにより当該紙葉類は搬送路２８に沿って図３および図４における左方向に搬送させられる。この際に、可動式の従動ローラ２６は、図７（ｂ）に示すように、搬送路２８上に位置しており各従動ローラ２６に対応する駆動ローラ２２に当接して当該駆動ローラ２２と連れ回るようになっている。
【００５８】
そして、入口側搬送タイミング検知センサ７４により紙葉類の先端部が検知されると、この入口側搬送タイミング検知センサ７４による紙葉類の検知時刻から予め設定された所定時間が経過した後に、ストッパ３２および停止補助部３８をそれぞれ図６（ｂ）に示すような退避位置から図６（ａ）に示すような突出位置に移動させる。また、ストッパ３２および停止補助部３８をそれぞれ図６（ａ）に示すような突出位置に移動させる直前に、図７（ａ）に示すように、可動式の従動ローラ２６を、搬送路２８から下方に退避させ、各従動ローラ２６に対応する各駆動ローラ２２から離間させる。このことにより、搬送部２０の各駆動ローラ２２および各従動ローラ２６による紙葉類の把持が解除される。なお、可動式の従動ローラ２６を、搬送路２８から下方に退避させるタイミングは、ストッパ３２および停止補助部３８をそれぞれ図６（ａ）に示すような突出位置に移動させるタイミングと同時であってもよく、あるいは、ストッパ３２および停止補助部３８をそれぞれ図６（ａ）に示すような突出位置に移動させた直後であってもよい。ストッパ３２が図６（ａ）に示すような突出位置に移動すると、搬送路２８に沿って搬送部２０により搬送させられる紙葉類の搬送方向における先端部がストッパ３２に当接することによりこの紙葉類が停止させられる。なお、図１および図２に示すように、搬送路２８の幅方向に沿って左右一対のストッパ３２が配設されているため、各ストッパ３２により紙葉類が停止させられたときに、この紙葉類の斜行状態も解消されるようになっている。また、各ストッパ３２により紙葉類が停止させられたときに、当該紙葉類は、図６（ａ）に示すような突出位置に移動した停止補助部３８と上側案内部４０の凹部４０ａの表面との間に形成されたわずかな隙間に挟まれるようになるため、ストッパ３２に紙葉類が当接したときの当該紙葉類の跳ね返りが抑制される。
【００５９】
紙葉類がストッパ３２により停止させられた後、この紙葉類の両側縁部に対応して搬送路２８の幅方向における両側にそれぞれ設けられた左右一対の位置修正部５０の各第一位置修正部材５２が軸５４を中心として当該紙葉類に向かって移動する。このことにより、ストッパ３２により停止させられた紙葉類に対して、各第一位置修正部材５２の先端部分５３により、当該紙葉類の側縁部における搬送方向後端部がストッパ３２に向かって図１における左方向に押されるよう当該紙葉類の両側から押圧される。その後、左右一対の位置修正部５０の各第二位置修正部材５６が軸５８を中心として当該紙葉類に向かって移動する。このことにより、各第一位置修正部材５２の先端部分５３により両側縁部から押圧された後の紙葉類に対して、各第二位置修正部材５６の先端部分５７により、当該紙葉類の側縁部における搬送方向前端部が紙葉類の搬送方向に略直交する方向（図１における上下方向）に押圧される。このことにより、紙葉類は、搬送路２８の幅方向における所定位置（例えば、中央位置）に移動させられる。より詳細には、制御部６０は、入口側紙葉類検知センサ７０により検知された紙葉類の幅方向長さ等に基づいて、位置修正部５０における第一位置修正部材５２および第二位置修正部材５６の移動量（具体的には、回転角度）を調整するよう位置修正部駆動機構６２の制御を行うため、位置修正部５０の第一位置修正部材５２や第二位置修正部材５６により押圧される前の紙葉類が搬送路２８の幅方向におけるどの位置にあっても、これらの第一位置修正部材５２や第二位置修正部材５６により押圧された後の紙葉類は搬送路２８の幅方向における所定位置（例えば、中央位置）に寄せられるようになる。
【００６０】
その後、ストッパ３２および停止補助部３８をそれぞれ図６（ａ）に示すような突出位置から図６（ｂ）に示すような退避位置に移動させる。また、ストッパ３２および停止補助部３８をそれぞれ図６（ｂ）に示すような退避位置に移動させた後に、図７（ｂ）に示すように、可動式の従動ローラ２６を搬送路２８上に位置するようにし、各従動ローラ２６に対応する各駆動ローラ２２に当接させる。このことにおり、搬送部２０の各駆動ローラ２２および各従動ローラ２６による紙葉類の把持が再び行われるようになる。なお、可動式の従動ローラ２６を搬送路２８上に位置させるタイミングは、ストッパ３２および停止補助部３８をそれぞれ図６（ｂ）に示すような退避位置に移動させるタイミングと同時であってもよく、あるいは、ストッパ３２および停止補助部３８をそれぞれ図６（ｂ）に示すような退避位置に移動させた直後であってもよい。その後、搬送部２０により紙葉類を図１および図２における左方向に搬送させる。この際に、紙葉類の先端部が出口側搬送タイミング検知センサ７６により検知された後、この紙葉類は、出口側紙葉類検知センサ７２により、その幅方向長さ、搬送路２８の幅方向における位置、および斜行角度等が検知される。制御部６０は、出口側紙葉類検知センサ７２から送られた紙葉類の検知情報に基づいて、位置修正部５０により紙葉類が搬送路２８の幅方向における所定位置に正確に寄せられたか否かを判定する。このようにして、紙葉類搬送装置１０による、ある一つの紙葉類の一連の搬送動作が完了し、後続の紙葉類がまた紙葉類搬送装置１０により搬送させられるようになる。
【００６１】
なお、制御部６０は、入口側紙葉類検知センサ７０により検知された紙葉類の斜行角度が予め設定された所定角度以上であった場合には、この紙葉類が入口側搬送タイミング検知センサ７４により検知されてから予め設定された所定時間が経過しても、ストッパ３２および停止補助部３８の各々を図６（ａ）に示すような突出位置に移動させず、図６（ｂ）に示すような退避位置に維持させたままとする。このことにより、斜行角度が大きい紙葉類はストッパ３２により停止させられることなく、そのままストッパ３２を通過して引き続き搬送路２８に沿って搬送部２０により搬送させられるようになる。もし仮に、斜行角度が大きい紙葉類をストッパ３２により停止させようとした場合には、斜行している紙葉類における先行する隅部分が左右一対のストッパ３２の間に挟まってしまうおそれがあり、このような状態では紙葉類が斜行した状態で停止させられるため当該紙葉類の幅方向における側縁部を位置修正部５０の第一位置修正部材５２や第二位置修正部材５６により押圧してもこの紙葉類を搬送路２８の幅方向における所定位置（例えば、中央位置）に移動させることができないからである。このように、制御部６０は、入口側紙葉類検知センサ７０により検知された紙葉類の斜行角度が予め設定された所定角度より小さい場合においてのみ、この紙葉類が入口側搬送タイミング検知センサ７４により検知されてから予め設定された所定時間が経過した後に、ストッパ３２および停止補助部３８をそれぞれ図６（ｂ）に示すような退避位置から図６（ａ）に示すような突出位置に移動させる。
【００６２】
以上のような構成からなる本実施の形態の紙葉類搬送装置１０および紙葉類搬送方法によれば、搬送路２８に沿って搬送部２０により搬送させられる紙葉類をストッパ３２により停止させ、停止させられた紙葉類の幅方向における側縁部を位置修正部５０により押圧することにより当該紙葉類を搬送路２８の幅方向における所定位置（例えば、中央位置）に移動させるようになっている。このように、搬送させられる紙葉類を一旦停止させ、停止させられた紙葉類の幅方向における側縁部を押圧することにより当該紙葉類を搬送路２８の幅方向における所定位置に移動させることによって、紙葉類の斜行状態を解消することができるとともに、紙葉類を破ることなく搬送路２８の幅方向に沿って確実に移動させて所定位置に寄せることができるようになる。また、このような紙葉類搬送装置１０によれば、搬送部２０により搬送させられる紙葉類をストッパ３２により一旦停止させているため、搬送させられる紙葉類間の間隔の大きさを所望の大きさに調整することができるようになる。
【００６３】
また、本実施の形態の紙葉類搬送装置１０においては、前述したように、制御部６０は、入口側紙葉類検知センサ７０により検知された紙葉類の幅方向長さに基づいて位置修正部５０における第一位置修正部材５２や第二位置修正部材５６の移動量（具体的には、回転角度）を調整するよう位置修正部駆動機構６２の制御を行うようになっている。なお、制御部６０は、入口側紙葉類検知センサ７０により検知された紙葉類の幅方向長さに加えて、この入口側紙葉類検知センサ７０により検知された搬送路２８の幅方向における紙葉類の位置も参照して、位置修正部５０における第一位置修正部材５２や第二位置修正部材５６の移動量（具体的には、回転角度）を調整してもよい。しかしながら、本実施の形態では、制御部６０において、搬送路２８の幅方向における紙葉類の位置に関する情報がなくとも、紙葉類の幅方向長さに関する情報があれば、位置修正部５０における第一位置修正部材５２や第二位置修正部材５６の移動量を算出することができる。すなわち、位置修正部５０は、左右一対の第一位置修正部材５２や左右一対の第二位置修正部材５６により紙葉類を両側縁部から押圧するような構成となっているため、紙葉類が寄せられるべき搬送路２８の幅方向における所定位置に関する情報、および紙葉類の幅方向長さに関する情報に基づいて、位置が修正される前の紙葉類が搬送路２８の幅方向におけるどの位置にあっても、第一位置修正部材５２や第二位置修正部材５６の移動量（具体的には、回転角度）は一意的に決まるようになる。例えば、紙葉類が寄せられるべき搬送路２８の幅方向における所定位置が中央位置である場合には、搬送路２８の幅方向におけるこの中央位置から紙葉類の幅方向長さの半分の大きさ分だけ離れた位置まで第一位置修正部材５２の先端部分５３や第二位置修正部材５６の先端部分５７が移動するよう、第一位置修正部材５２や第二位置修正部材５６の回転角度を決めればよい。このように、本実施の形態の紙葉類搬送装置１０や紙葉類搬送方法では、搬送路２８の幅方向における位置が修正されるべき紙葉類について、搬送路２８の幅方向における位置に関する情報がなくとも、搬送路２８の幅方向における所定位置に確実に寄せることができるようになる。
【００６４】
なお、本実施の形態による紙葉類搬送装置１０や紙葉類搬送方法は、上述したような態様に限定されることはなく、様々な変更を加えることができる。
【００６５】
例えば、ストッパ３２により停止させられた紙葉類が位置修正部５０により寄せられる、搬送路２８の幅方向における所定位置は、中央位置に限定されることはない。位置修正部５０により紙葉類が寄せられる所定位置は、搬送路２８の幅方向における任意の位置とすることができる。例えば、本実施の形態による紙葉類搬送装置１０が、紙幣の入出金処理を行う紙幣入出金機の機体内に設置される紙幣搬送装置として用いられ、紙幣入出金機の機体内に配設された各種の収納カセットが、この紙幣搬送装置の搬送路の幅方向における端位置に設置される場合には、位置修正部５０により紙葉類が寄せられる所定位置は、搬送路２８の幅方向における端位置としてもよい。
【００６６】
また、上述した説明では、位置修正部５０の第一位置修正部材５２や第二位置修正部材５６は、紙葉類の幅方向における両側縁部に対応して搬送路２８の幅方向における両側にそれぞれ設けられており、これらの第一位置修正部材５２や第二位置修正部材５６は、ストッパ３２により停止させられた紙葉類を両側から押圧するようになっているが、このような態様に限定されることはない。他の例としては、位置修正部５０における左右一対の第一位置修正部材５２により紙葉類の両側縁部における搬送方向後端部が押圧される際に、まず一方の第一位置修正部材５２により紙葉類の一方の側縁部における搬送方向後端部が押圧され、次に他方の第一位置修正部材５２により紙葉類の他方の側縁部における搬送方向後端部が押圧されるようになっていてもよい。同様に、位置修正部５０における左右一対の第二位置修正部材５６により紙葉類の両側縁部における搬送方向前端部が押圧される際に、まず一方の第二位置修正部材５６により紙葉類の一方の側縁部における搬送方向前端部が押圧され、次に他方の第二位置修正部材５６により紙葉類の他方の側縁部における搬送方向前端部が押圧されるようになっていてもよい。また、位置修正部５０により紙葉類が寄せられる所定位置が、搬送路２８の幅方向における端位置となっている場合には、左右一対の第一位置修正部材５２や左右一対の第二位置修正部材５６のうち、一方の第一位置修正部材５２や一方の第二位置修正部材５６のみによって紙葉類の一方の側縁部の搬送方向後端部や搬送方向前端部が押圧されるようになっていてもよい。
【００６７】
また、搬送路２８に沿って搬送部２０により搬送させられる紙葉類を停止させる停止部は、搬送路２８上に突出する突出位置と、搬送路２８から下方に退避する退避位置との間で移動するストッパ３２に限定されることはない。搬送路２８に沿って搬送部２０により搬送させられる紙葉類を停止させることができるものであれば、停止部として図４等に示すようなストッパ３２以外の様々な構成のものを用いることができる。
【００６８】
また、停止部により停止させられた紙葉類を搬送路２８の幅方向における所定位置に移動させる位置修正部５０は、左右一対の第一位置修正部材５２および左右一対の第二位置修正部材５６を有するものに限定されることはない。停止部により停止させられた紙葉類を搬送路２８の幅方向における所定位置に移動させることができるものであれば、位置修正部５０として図示したもの以外の様々な構成のものを用いることができる。例えば、位置修正部５０を、必ずしも紙葉類の幅方向における両側縁部に対応して搬送路２８の幅方向における両側にそれぞれ設ける必要はない。また、位置修正部５０として、第一位置修正部材５２および第二位置修正部材５６という２つの部材により紙葉類の側縁部における搬送方向後端部や搬送方向前端部をそれぞれ押圧するもの以外の構成のものを用いてもよい。
【符号の説明】
【００６９】
１０  紙葉類搬送装置
１２  上側搬送ユニット
１４  下側搬送ユニット
２０  搬送部
２２  駆動ローラ
２４  固定式の従動ローラ
２６  可動式の従動ローラ
２８  搬送路
２９  搬送面
２９ａ  搬送面凹部
３０  紙葉類停止機構
３２  ストッパ
３２ａ  突起部
３４  ストッパ支持アーム
３６  軸
３８  停止補助部
４０  上側案内部
４０ａ  凹部
４２  下側案内部
５０  位置修正部
５２  第一位置修正部材
５３  先端部分
５４  軸
５６  第二位置修正部材
５７  先端部分
５８  軸
６０  制御部
６２  位置修正部駆動機構
７０  入口側紙葉類検知センサ
７２  出口側紙葉類検知センサ
７４  入口側搬送タイミング検知センサ
７６  出口側搬送タイミング検知センサ
【図１】
2015009949.tif 000003
【図２】
2015009949.tif 000004
【図３】
2015009949.tif 000005
【図４】
2015009949.tif 000006
【図５】
2015009949.tif 000007
【図６】
2015009949.tif 000008
【図７】
2015009949.tif 000009
【図８】
2015009949.tif 000010